(57)【要約】【課題】依頼者が適当な化粧イメージを迅速に誘発することができる化粧イメージ誘発装置を提供する。【解決手段】携帯電話機１０を操作することによって、管理サーバ３０の第１〜第５ジャンルデータベース４１〜４５に対し、化粧イメージ誘発用の楽曲、サウンド、画像、人物名及び主題等の各種のデータを予め登録する。携帯電話機１０を操作することによって、前記第１〜第５ジャンルデータベース４１〜４５に予め登録された各種の化粧イメージ誘発用データを入手することによって、依頼者が要望する化粧イメージを脳裏に容易に誘発することができる。【選択図】図３
2006127501.tif 000002
【特許請求の範囲】
【請求項１】
複数のジャンルの化粧イメージ誘発用データを記憶する記憶手段を備えたサーバから依頼者に前記化粧イメージ誘発用データを提供するように構成した化粧イメージ誘発装置であって、
前記サーバは、依頼者により入力され、かつ化粧イメージ誘発用の複数のジャンルのいずれか一つのジャンルを指定する信号に基づいて、前記記憶手段に予めジャンル毎に登録された化粧イメージ誘発用データのなかから指定された前記ジャンルに対応する化粧イメージ誘発用データを選択し、この選択されたデータを依頼者に提供するように構成したことを特徴とする化粧イメージ誘発装置。
【請求項２】
請求項１において、前記サーバは前記各ジャンル内の複数の化粧イメージ誘発用データ毎のアクセス回数をカウントするアクセス回数カウント部の演算結果に基づいて、利用回数頻度を演算する利用回数頻度演算部と、演算された利用回数頻度に基づいて、ジャンル内の複数の化粧イメージ誘発用データ毎の優先順位を演算する第１優先順位演算部と、演算された優先順位を記憶する記憶手段とを備えている化粧イメージ誘発装置。
【請求項３】
請求項１又は２において、前記サーバは複数の前記ジャンル毎の総アクセス時間を演算する総アクセス時間演算部と、この演算結果に基づいて、各ジャンル毎の利用時間差を演算する利用時間差演算部と、この演算された利用時間差に基づいて各ジャンル毎の優先順位を演算する第２優先順位演算部と、演算された優先順位を記憶する記憶手段とを備えていることを特徴とする化粧イメージ誘発装置。
【請求項４】
請求項１〜３のいずれか一項において、前記サーバは複数の前記ジャンル内の複数の化粧イメージ誘発用データのアクセス履歴の傾向を演算するアクセス履歴傾向演算部と、この演算結果に基づいて、アクセス履歴傾向頻度を演算するアクセス履歴傾向頻度演算部と、この演算結果に基づいて、アクセス履歴傾向の優先順位を演算するアクセス履歴傾向優先順位演算部と、この演算結果を記憶する記憶手段とを備えていることを特徴とする化粧イメージ誘発装置。
【請求項５】
請求項１〜４のいずれか一項において、依頼者は前記サーバと端末装置によって無線通信又は有線通信可能に構成されていることを特徴とする化粧イメージ誘発装置。
【請求項６】
請求項１〜５のいずれか一項において、前記サーバの記憶手段に予め登録された楽曲、サウンド、映像、人物名、主題、キャッチフレーズ、音声、文字及び記号の各ジャンル群のいずれか一つのジャンルが依頼者によって選定されるように構成されていることを特徴とする化粧イメージ誘発装置。
【請求項７】
請求項６において、前記サーバの記憶手段に予め登録された楽曲、サウンド、映像、人物名、主題、キャッチフレーズ、音声、文字及び記号の各ジャンルの化粧イメージ誘発用データ群のいずれか一つの化粧イメージ誘発用データが前記端末装置の入力手段を介して依頼者により選択されるように構成されていることを特徴とする化粧イメージ誘発装置。
【請求項８】
請求項５〜７のいずれか一項において、前記端末装置は、前記化粧イメージ誘発用の複数のジャンルのいずれか一つを指定する入力手段と、前記サーバから送信された化粧イメージ誘発用データを画面表示する表示手段とを備えていることを特徴とする化粧イメージ誘発装置。
【請求項９】
複数のジャンルの化粧イメージ誘発用データを記憶する記憶手段を備えたサーバから依頼者に前記化粧イメージ誘発用データを提供して依頼者に化粧イメージを誘発させる化粧イメージ誘発方法であって、
依頼者により入力された化粧イメージ誘発用の複数のジャンルのいずれか一つのジャンルを選定する信号を受信する手順と、
前記記憶手段に予め登録された化粧イメージ誘発用データのなかから選定された前記ジャンルに対応する化粧イメージ誘発用データを選択する手順と、
上記の選択された化粧イメージ誘発用データを依頼者に提供する手順とを、
前記サーバに実行させるようにしたことを特徴とする化粧イメージ誘発方法。
【請求項１０】
複数のジャンルの化粧イメージ誘発用データを記憶する記憶手段を備えたサーバから依頼者に前記化粧イメージ誘発用データを提供して依頼者に化粧イメージを誘発させる化粧イメージ誘発装置に用いる化粧イメージ誘発用プログラムであって、
依頼者により入力された化粧イメージ誘発用の複数のジャンルのいずれか一つのジャンルを選定する信号を受信する手順と、
前記記憶手段に予め登録された化粧イメージ誘発用データのなかから選定された前記ジャンルに対応する化粧イメージ誘発用データを選択する手順と、
上記の選択された化粧イメージ誘発用データを依頼者に提供する手順とを、
前記サーバに実行させるようにしたことを特徴とする化粧イメージ誘発用プログラム。
【発明の詳細な説明】
【技術分野】
【０００１】
本発明は、化粧をしようとする依頼者が自身の化粧イメージを迅速に誘発（想定）することができる化粧イメージ誘発装置、化粧イメージ誘発方法及び化粧イメージ誘発用プログラムに関する。
【背景技術】
【０００２】
依頼者が顔の化粧を行う場合に、その化粧を支援するために画像処理を用いた化粧支援方法が提案されている。この化粧支援方法として、管理サーバ側のデータベースに例えば、化粧品データ、リップカラーデータ、肌色データ、化粧画像データ等のうち少なくともいずれか一種類のデータを蓄積しておき、依頼者の要望に応じて、化粧に関するデータを選択して依頼者に提供するものが提案されている。特許文献１には、次のようなアドバイス方法が提案されている。即ち、複数の化粧品について、それぞれの化粧品に関するデータを知識データベースとして蓄積しておき、依頼者の顔画像を取り出してその顔画像を分析し、その分析結果から肌の状況を示す情報を得る。そして、その肌の示す情報に基づき、前記知識データベース内の各化粧品に関するデータを参照し、当該化粧者に対し化粧品に関するアドバイス内容を生成して出力するようになっている。
【特許文献１】特開２００１−１０４０５０号公報
【発明の開示】
【発明が解決しようとする課題】
【０００３】
ところが、上記従来の画像処理を用いた化粧支援方法は、依頼者が自己の要望する化粧イメージを例えば結婚式等の目的に応じて人為的に想定する作業が別途必要になるので、適当な化粧イメージを想定するまでに要する時間が長くなるという問題があった。特に、依頼者が化粧をしたいけれども、どのような化粧をしたら良いのか決めかねている場合には、適当な化粧イメージを想定（誘発）するまでに長時間を要するという問題があった。
【０００４】
本発明は、上記従来の技術に存する問題点を解消して、依頼者が適当な化粧イメージを迅速に誘発することができる化粧イメージ誘発装置、化粧イメージ誘発方法及び化粧イメージ誘発用プログラムを提供することにある。
【課題を解決するための手段】
【０００５】
上記問題点を解決するために、請求項１に記載の発明は、複数のジャンルの化粧イメージ誘発用データを記憶する記憶手段を備えたサーバから依頼者に前記化粧イメージ誘発用データを提供するように構成した化粧イメージ誘発装置であって、前記サーバは、依頼者により入力され、かつ化粧イメージ誘発用の複数のジャンルのいずれか一つのジャンルを指定する信号に基づいて、前記記憶手段に予めジャンル毎に登録された化粧イメージ誘発用データのなかから指定された前記ジャンルに対応する化粧イメージ誘発用データを選択し、この選択されたデータを依頼者に提供するように構成したことを要旨とする。
【０００６】
請求項２に記載の発明は、請求項１において、前記サーバは前記各ジャンル内の複数の化粧イメージ誘発用データ毎のアクセス回数をカウントするアクセス回数カウント部の演算結果に基づいて、利用回数頻度を演算する利用回数頻度演算部と、演算された利用回数頻度に基づいて、ジャンル内の複数の化粧イメージ誘発用データ毎の優先順位を演算する第１優先順位演算部と、演算された優先順位を記憶する記憶手段とを備えていることを要旨とする。
【０００７】
請求項３に記載の発明は、請求項１又は２において、前記サーバは複数の前記ジャンル毎の総アクセス時間を演算する総アクセス時間演算部と、この演算結果に基づいて、各ジャンル毎の利用時間差を演算する利用時間差演算部と、この演算された利用時間差に基づいて各ジャンル毎の優先順位を演算する第２優先順位演算部と、演算された優先順位を記憶する記憶手段とを備えていることを要旨とする。
【０００８】
請求項４に記載の発明は、請求項１〜３のいずれか一項において、前記サーバは複数の前記ジャンル内の複数の化粧イメージ誘発用データのアクセス履歴の傾向を演算するアクセス履歴傾向演算部と、この演算結果に基づいて、アクセス履歴傾向頻度を演算するアクセス履歴傾向頻度演算部と、この演算結果に基づいて、アクセス履歴傾向の優先順位を演算するアクセス履歴傾向優先順位演算部と、この演算結果を記憶する記憶手段とを備えていることを要旨とする。
【０００９】
請求項５に記載の発明は、請求項１〜４のいずれか一項において、依頼者は前記サーバと端末装置によって無線通信又は有線通信可能に構成されていることを要旨とする。
請求項６に記載の発明は、請求項１〜５のいずれか一項において、前記サーバの記憶手段に予め登録された楽曲、サウンド、映像、人物名、主題、キャッチフレーズ、音声、文字及び記号の各ジャンル群のいずれか一つのジャンルが依頼者によって選定されるように構成されていることを要旨とする。
【００１０】
請求項７に記載の発明は、請求項６において、前記サーバの記憶手段に予め登録された楽曲、サウンド、映像、人物名、主題、キャッチフレーズ、音声、文字及び記号の各ジャンルの化粧イメージ誘発用データ群のいずれか一つの化粧イメージ誘発用データが前記端末装置の入力手段を介して依頼者により選択されるように構成されていることを要旨とする。
【００１１】
請求項８に記載の発明は、請求項５〜７のいずれか一項において、前記端末装置は、前記化粧イメージ誘発用の複数のジャンルのいずれか一つを指定する入力手段と、前記サーバから送信された化粧イメージ誘発用データを画面表示する表示手段とを備えていることを要旨とする。
【００１２】
請求項９に記載の発明は、複数のジャンルの化粧イメージ誘発用データを記憶する記憶手段を備えたサーバから依頼者に前記化粧イメージ誘発用データを提供して依頼者に化粧イメージを誘発させる化粧イメージ誘発方法であって、依頼者により入力された化粧イメージ誘発用の複数のジャンルのいずれか一つのジャンルを選定する信号を受信する手順と、前記記憶手段に予め登録された化粧イメージ誘発用データのなかから選定された前記ジャンルに対応する化粧イメージ誘発用データを選択する手順と、上記の選択された化粧イメージ誘発用データを依頼者に提供する手順とを、前記サーバに実行させるようにしたことを要旨とする。
【００１３】
請求項１０に記載の発明は、複数のジャンルの化粧イメージ誘発用データを記憶する記憶手段を備えたサーバから依頼者に前記化粧イメージ誘発用データを提供して依頼者に化粧イメージを誘発させる化粧イメージ誘発装置に用いる化粧イメージ誘発用プログラムであって、依頼者により入力された化粧イメージ誘発用の複数のジャンルのいずれか一つのジャンルを選定する信号を受信する手順と、前記記憶手段に予め登録された化粧イメージ誘発用データのなかから選定された前記ジャンルに対応する化粧イメージ誘発用データを選択する手順と、上記の選択された化粧イメージ誘発用データを依頼者に提供する手順とを、前記サーバに実行させるようにしたことを要旨とする。
【発明の効果】
【００１４】
本発明によれば、依頼者によって指定された化粧イメージ誘発用の複数のジャンルのうちのいずれか一つのジャンルを選定する信号に基づいて、サーバ側の記憶手段に各ジャンル毎に予め登録された複数の化粧イメージ誘発用データのなかから化粧イメージ誘発用データが選択されて、依頼者に提供される。このため、依頼者は適正な化粧イメージを迅速に誘発することができる。
【発明を実施するための最良の形態】
【００１５】
以下、本発明の化粧イメージ誘発装置を、化粧に関するアドバイス提供用のアドバイスシステムに具体化した一実施形態を図面に従って説明する。
図３に示すように、アドバイスシステム１は、概略的に見て各種のデータを記憶するとともに、各種の演算を行う管理サーバ３０により構成されている。依頼者は化粧アドバイスを受ける際に必要な例えば顔画像等の所定データを携帯電話機１０に入力し、そのデータを携帯電話網Ｋ及びインターネットＮを通じて管理サーバ３０に送信する。そして、サーバ３０は依頼者側から送られたデータを用いて依頼者の化粧状態を評価し、その評価結果としての化粧アドバイスを依頼者の携帯電話機１０に送信し、この化粧アドバイスを携帯電話機１０に表示する。
【００１６】
図１は、携帯電話機１０の斜視図である。この携帯電話機１０は表示機能を備えた第１筐体１１と、操作機能を備えた第２筐体１２とを備えている。前記第２筐体１２は、入力手段としての各種の入力キー１４を備え、前記第１筐体１１は表示手段としてのディスプレイ１５を備えている。入力キー１４には、例えば電源入切キー１４１、通信キー１４２、メモキー１４３、数字（アルファベット、文字）キー群１４４、初期メニュー選択キー１４５、メール送受信キー群１４６，１４７等の各種のキーが設けられている。
【００１７】
前記第１筐体１１にはディスプレイ１５の上方に位置するように撮像手段としての三次元のＣＣＤカメラ１７が配置され、このＣＣＤカメラ１７は依頼者（被写体）の静止画や動画を撮影するために使用され、撮影される映像や写真はディスプレイ１５上に表示可能となっている。前記第１筐体１１には各種のデータを前記サーバ３０へ送信するためのアンテナ１８が設けられ、音声を出力するためのスピーカー１９も設けられている。
【００１８】
図２は携帯電話機１０の概略構成図である。前記第２筐体１２にはコンピュータを有する制御部２１が備えられ、この制御部２１は前記ＣＣＤカメラ１７と接続されている。制御部２１はＣＣＤカメラ１７から入力される画像情報としての例えば顔画像、文字或いは写真等の画像データを基にして、ディスプレイ１５に顔画像、文字或いは写真等を表示させる。この画像データは、ＣＣＤカメラ１７により動画として撮影を行ったときは三次元データで入力される。又、携帯電話機１０は制御部２１の他に、アンテナ１８に接続された送受信部２２を備えている。前記制御部２１は画像データや文字データを前記送受信部２２及びアンテナ１８を介して無線通信により携帯電話網Ｋに伝送する。前記両データは携帯電話網ＫからインターネットＮを通じてサーバ３０に送信される。
【００１９】
前記携帯電話機１０は、記憶手段としての２つのデータベース２３，２４を備えている。両データベース２３，２４のうち個人情報データベース２３には、ＣＣＤカメラ１７やパソコン（図示省略）等を用いて取り込んだ依頼者に関する例えば顔画像データ（動画、静止画）等の画像データが登録される。評価結果登録データベース２４には、サーバ３０から携帯電話機１０へ送信された例えば化粧顔画像等に関する化粧アドバイスデータが登録される。
【００２０】
次に、前記サーバ３０に備えられたコンピューターを有するサーバ本体３１を図４に基づいて説明する。
中央演算処理装置（ＣＰＵ）３２には、種々の制御プログラムを実行したり所定の演算処理を実行したりするための各種のプログラムを記憶したリードオンリーメモリ（ＲＯＭ）３３と、各種のデータを書き込み読み出し可能なランダムアクセスメモリ（ＲＡＭ）３４が接続されている。前記ＣＰＵ３２には、インターネットＮに接続される受信部３５及び送信部３６が入出力インターフェイス３７を介して接続されている。前記ＣＰＵ３２には公知の３つのデータベース３８，３９，４０が接続されている。それらのデータベース３８〜４０のうち、基準値管理データベース３８には、化粧アドバイスの評価処理を行うときの基準となる依頼者が理想とする化粧方法の手本となる手本化粧顔画像データが格納されている。この手本化粧顔画像データは、依頼者が所望する化粧画像として入力された要望情報（画像データや文字コードデータ等）と、化粧をしていない状態の素顔画像が表示可能な素顔画像データとを用いて予め作成される。又、依頼者情報データベース３９には、依頼者が化粧アドバイスを依頼するときに携帯電話機１０を介して送られる各種データが各依頼者ごとに格納される。評価結果データベース４０には、依頼者からの前記各種データを基にしてサーバ本体３１により算出された化粧方法及び化粧品に関する化粧アドバイスデータが依頼者毎に格納される。
【００２１】
又、前記サーバ３０は、各種の化粧イメージ誘発用データを記憶する記憶手段としての第１〜第５ジャンルデータベース４１〜４５を備えている。第１ジャンルデータベース４１には、化粧イメージを依頼者に誘発させるための例えば「クラシック」、「ジャズ」、「モダン」及び「その他」等の各種の楽曲データが演奏曲として記憶されている。第２ジャンルデータベース４２には、同じく化粧イメージを誘発するための例えば効果音やヒーリング等の各種のサウンドデータが演奏された状態で記憶されている。又、第３ジャンルデータベース４３には、例えば、依頼者又は他者の各種の化粧顔画像データ、テレビや映画、あるいはビデオの各場面等から選択して入手された各種の画像データ、同じく化粧イメージを依頼者に誘発させるための例えば女優や有名人や、流行中のファッション等の各種の画像データが記憶されている。第４ジャンルデータベース４４には、例えば、俳優や有名人等の各種の人物名が文字データあるいは音声データで記憶されている。これに代えて、実際のライブ演奏の時の出演者の名前を生音声データで記憶してもよい。第５ジャンルデータベース４５には、例えば、映画やビデオのドラマ、報道等の化粧イメージを依頼者に誘発させるための各種の主題（タイトル）、キャッチフレーズ、文字、絵文字あるいは記号等のデータが記憶されている。
【００２２】
次に、前記中央演算処理装置（ＣＰＵ）３２の各種の機能について説明する。
前記ＣＰＵ３２には、前記受信部３５から取り込まれた携帯電話機１０からの依頼者による化粧イメージ誘発用データの入手動作に関する第１〜第５ジャンルの各データへのアクセス回数をカウントするためのアクセス回数カウント部５１及び各アクセスのそれぞれの所要時間を演算するためのアクセス時間演算部５２が設けられている。前記アクセス回数カウント部５１には、第１〜第５ジャンル内における複数のデータの利用回数頻度を演算するための利用回数頻度演算部５３が接続されている。この利用回数頻度演算部５３には、各ジャンル内での複数のデータの利用回数優先順位を演算するための第１優先順位演算部５４が接続されている。この第１優先順位演算部５４には、演算された各ジャンル内での複数のデータに関する利用回数優先順位データを記憶するためのジャンル内優先順位データベース５５が接続されている。
【００２３】
又、前記アクセス回数カウント部５１及びアクセス時間演算部５２には、前記各ジャンル毎の総アクセス時間を演算するための総アクセス時間演算部５６が接続されている。この総アクセス時間演算部５６には、演算された各ジャンル毎の総アクセス時間に基づいて各ジャンル毎の利用時間差を演算するための利用時間差演算部５７が接続されている。この利用時間差演算部５７には、各ジャンル毎の優先順位を演算するための第２優先順位演算部５８が接続されている。この第２優先順位演算部５８には演算された各ジャンル毎の優先順位データを記憶するためのジャンル毎優先順位データベース５９が接続されている。
【００２４】
さらに、前記アクセス回数カウント部５１には、依頼者による各ジャンル内の各種データへのアクセス履歴の傾向を演算するためのアクセス履歴傾向演算部６０が接続されている。このアクセス履歴傾向演算部６０には、演算されたアクセス履歴傾向に基づいてアクセス履歴傾向の頻度を演算するめのアクセス履歴傾向頻度演算部６１が接続され、このアクセス履歴傾向頻度演算部６１には演算されたアクセス履歴傾向頻度に基づいてアクセス履歴傾向優先順位を演算するためのアクセス履歴傾向優先順位演算部６２が接続されている。このアクセス履歴傾向優先順位演算部６２には、演算された各ジャンル内でのアクセス履歴傾向優先順位データを記憶するためのジャンル内アクセス履歴傾向優先順位データベース６３が接続されている。
【００２５】
図３に示すように、携帯電話網Ｋ及びインターネットＮには、携帯電話機１０又は管理サーバ３０と互いに通信可能な化粧・美容健康関連機関７０が接続されている。この化粧・美容健康関連機関７０として、例えば化粧品会社、フアッション系の会社、美容整形外科、ヘアーサロン等が挙げられる。一方、サーバ３０は予め契約登録を済ませている前記化粧・美容健康関連機関７０に対して、同サーバ３０の評価結果データベース４０に登録された各化粧アドバイスデータのうち、依頼者により要望されたデータを携帯電話機１０に配信することが可能となっている。
【００２６】
次に、前記のように構成された化粧アドバイスシステムの動作について説明する。
最初に、図５のフローチャートに基づいて、第１〜第５ジャンル毎の化粧イメージ誘発用データの登録動作について説明する。
【００２７】
この登録動作は、依頼者が携帯電話機１０を用いて前記サーバ３０に各種のデータを送信し、第１〜第５ジャンルデータベース４１〜４５に記憶させることにより行われる。
図５のステップＳ１で、依頼者が図１に示す携帯電話機１０の入力キー１４のうち初期メニュー選択キー１４５を操作することによりディスプレイ１５に対し、図９に示す「初期メニュー画面」が表示される。この画面には、例えば、「メールボックス」、「ロングメール」、「リレーメール」、「化粧イメージ誘発用データ登録」、「化粧イメージ誘発用データ入手」、「化粧アドバイス」、「第１優先順位参照」、「第２優先順位参照」及び「アクセス履歴傾向優先順位参照」等の文字とアイコン（◎参照）が表示される。依頼者が入力キー１４を操作して、図９に示す上から４番目の「化粧イメージ誘発用データ登録」のアイコンをクリックすると、図５のステップＳ２で、図１０に示す化粧イメージ誘発用データの第１〜第５ジャンルの文字とアイコン（◎参照）との選定画面がディスプレイ１５に表示される。
【００２８】
次に、図１０に示す第１〜第５のジャンルのうちいずれか一つのジャンルのアイコンをクリックしてジャンルの選定を行う。図５のステップＳ３で例えば第１ジャンル（楽曲）のアイコンがクリックされて選択されると、ディスプレイ１５に対し、図１１（ａ）に示す各種の楽曲の分野である「クラシック」、「ジャズ」、「モダン」、「ラテン」、「その他」の文字とアイコン（◎参照）とが表示される。このステップＳ３で、例えば図１１（ａ）の上から３番目の「モダン」楽曲を登録したい場合には、この「モダン」のアイコンをクリックする。すると、ディスプレイ１５に対し、図１２に示す「インターネット」、「テレビ」、「ラジオ」、「ＣＤ」及び「その他」の文字とアイコン（◎参照）との画面が表示される。それらのうちの上から１番目の「インターネット」のアイコンをクリックして選択すると、インターネットを通してデータの入手が可能となる。そして、楽曲を提供するプロバイダから依頼者が携帯電話機１０を操作することによって各種の「モダン楽曲」データの入手が行われ、この入手された「モダン楽曲」のうち希望する「モダン楽曲」データが携帯電話機１０から管理サーバ３０へ伝送されて第１ジャンルデータベース４１に記憶される。（図５のステップＳ４参照）
図５のステップＳ５で、図１０に示す第２ジャンルが選択されると、ディスプレイ１５に対し、図１１（ｂ）に示す「ビートサウンド」、「低音サウンド」、「鳥類サウンド」、「動物サウンド」及び「その他」の文字とアイコン（◎参照）との画面が表示される。この第２ジャンルにおいても前述した第１ジャンルで述べたデータの入手動作と同様に各種のサウンドデータが入手され、これらのサウンドデータは、携帯電話機１０から管理サーバ３０へ伝送され、第２ジャンルデータベース４２に記憶される。（図５のステップＳ６参照）
図５のステップＳ７で、図１０に示す第３ジャンルが選択されると、ディスプレイ１５に対し、図１１（ｃ）に示す「依頼者の化粧顔画像」、「他者の化粧顔画像」、「化粧品」及び「その他」の文字とアイコン（◎参照）の画面が表示される。そして、これらのアイコンのいずれか一つのアイコンがクリックされると、依頼者によって入手され、かつ携帯電話機１０の個人情報データベース２３に予め記憶された依頼者又は他者の各種の化粧顔画像データ或いは新たに入手した各種の化粧顔画像データが、携帯電話機１０から管理サーバ３０へ伝送され、第３ジャンルデータベース４３に記憶される。（図５のステップＳ８）
同様にして、ステップＳ９で、図１０に示す第４ジャンルが選択されると、ディスプレイ１５に対し、図１１（ｄ）に示す「俳優」、「音楽家」、「画家」、「政治家」及び「その他」の文字とアイコンの画面が表示される。そして、これらのアイコンのいずれか一つがクリックされると、依頼者によって入手され、かつ携帯電話機１０のデータベース２３に予め記憶された各種の人物名が携帯電話機１０から管理サーバ３０へ伝送され、第４ジャンルデータベース４４に記憶される。（図５のステップＳ１０）さらに、ステップＳ１１で、図１０に示す第５ジャンルが選択されると、ディスプレイ１５に対し、図１１（ｅ）に示す「映画」、「書籍」、「芝居」、「歌劇」及び「その他」の文字とアイコンの画面が表示される。そして、これらのアイコンのいずれか一つがクリックされると、依頼者によって入手され、かつ携帯電話機１０のデータベース２３に予め記憶された各種の主題（タイトル）あるいは新たに入手された各種の主題が携帯電話機１０から管理サーバ３０へ伝送され、第５ジャンルデータベース４５に記憶される。（図５のステップＳ１２）
次に、図５のステップＳ１３で、前記各データを管理サーバ３０の第１〜第５ジャンルデータベース４１〜４５に登録するか否かが依頼者によって判断され、ディスプレイ１５に表示された図１３に示す「データベースに登録」、「キャンセル」のうち「データベースに登録」のアイコンをクリックして選択する。これによって、記憶された各ジャンルの全ての化粧イメージ誘発用データが管理サーバ３０の第１〜第５ジャンルデータベース４１〜４５に登録される。（図５のステップＳ１４）
さらに、新しいデータを追加したい場合には、前述したステップＳ３，Ｓ５，Ｓ７，Ｓ９，Ｓ１１と同様にジャンルの選定が行われ、第１〜第５ジャンルデータベース４１〜４５に対する各種の化粧イメージ誘発用データが追加登録される。この追加登録に際しては、入手手段として、ホームページ（ＨＰ：インターネット）情報、雑誌・書籍情報、テレビ等のメディア情報あるいはマーケティング情報がある。
【００２９】
以上のようにして、依頼者による管理サーバ３０への化粧イメージ誘発用データの登録が一通り完了する。
次に、図６のフローチャート及び図９〜図１８のディスプレイ１５の画面に基づいて、依頼者によって実際に、化粧イメージ誘発用データを入手するとともに、そのデータに基づいて依頼者が希望する化粧イメージを誘発する動作について説明する。
【００３０】
図６のステップＳ１−１において、依頼者によって、携帯電話機１０の初期メニュー選択キー１４５が操作されて、ディスプレイ１５に対し、図９に示す「初期メニュー画面」が表示される。この画面において、上から５番目の「化粧イメージ誘発用データ入手」のアイコンをクリックして選択（ステップＳ２−１）すると、ステップＳ３−１において、図１０に示す画面と同様の各ジャンルの選定メニュー画面が表示されるので、これらのいずれか一つのジャンルのアイコンをクリックして選定する。そして、ステップＳ４−１において「第１ジャンル」が選定されると、携帯電話機１０と管理サーバ３０の間で交信が行われ、管理サーバ３０の「第１ジャンル」に登録された化粧イメージ誘発用の各種の「楽曲データ」が携帯電話機１０に送信される。
【００３１】
次に、図６のステップＳ５−１において、携帯電話機１０に入手された複数の「楽曲データ」はスピーカー１９により楽曲として順次再生される。これを依頼者が聴取することにより依頼者の「化粧イメージの誘発」が行われる。この楽曲のみによって依頼者の脳裏に音像効果によって化粧イメージが明確に誘発された場合には、依頼者はこの誘発されたイメージに基づいて実際に顔の化粧作業を行う。
【００３２】
上記の「第１ジャンル」の楽曲に関する誘発用データのみでは、依頼者の脳裏に化粧イメージが誘発されなかった場合には、「第２ジャンル」のサウンドに関する各種の誘発用データが管理サーバ３０側から依頼者によって携帯電話機１０に入手され、依頼者の化粧イメージの誘発が行われる。同様にして、「第３ジャンル」から「第５ジャンル」の各種の誘発用データの入手が依頼者によって順次行われて、依頼者の希望する化粧イメージの誘発に供される。（ステップＳ６−１、Ｓ６−２、Ｓ６−３参照）
図６のステップＳ７−１において、管理サーバ３０から携帯電話機１０に入手された第３ジャンルの各種の化粧イメージ誘発用データに基づいてディスプレイ１５に表示された化粧顔画像に基づいて共感覚効果により依頼者の脳裏に希望する化粧イメージが誘発されることもある。この場合にも、依頼者は誘発された化粧イメージに基づいて実際に顔の化粧作業を行うことができるので、実際の化粧作業が容易となる。化粧された依頼者の顔は、ＣＣＤカメラ１７によって撮像され、この画像データは携帯電話機１０と管理サーバ３０の交信によって管理サーバ３０のデータベース３９に記憶される。（ステップＳ７−２）
図６のステップＳ８−１において、管理サーバ３０から携帯電話機１０に入手された前述の第１〜第５ジャンルの各種の化粧イメージ誘発用データに基づいて、依頼者が誘発した化粧イメージの化粧作業に用いる例えばリップクリーム、アイシャドー等の各種の化粧品に関するイメージも依頼者の脳裏に誘発される。
【００３３】
次に、依頼者のイメージ誘発動作を別の観点から説明する。
依頼者によって、携帯電話機１０の初期メニュー選択キー１４５が操作されて、ディスプレイ１５に対し、図９に示す「初期メニュー画面」が表示される。この画面において、上から６番目の「化粧アドバイス」のアイコンをクリックして選択すると、図１４に示す化粧アドバイスの各種のメニューが表示される。図１４の「化粧アドバイス」の画面においては、「貴女メイク迷っていませんか？」の文字が表示される。又、その下には、「モーニングメイク」、「アフタヌーンメイク」及び「アフター５メイク」の文字とアイコンの画面が表示される。この３種類のうちのいずれか一つのアイコンをクリックすると共に、「利用する」と「利用しない」のアイコンのうち「利用する」のアイコンをクリックすると、ディスプレイ１５に対し図１５に示す「貴女のメイクイメージ方法の手順紹介」の画面が表示される。
【００３４】
図１５の画面においては、四つの選択肢が表示される。すなわち、「全ての手順をオートで表示します。」、「手順に従い画像を順次イメージ表示します。」、「化粧方法のみ順次表示します。」及び「化粧品を順次表示します。」の文字とアイコンの画面が表示される。例えば、そのうちの１番目の「全ての手順をオートで表示します。」を依頼者が選択する。すると、ディスプレイ１５には、図１６に示す「貴女のイメージは何」というタイトルの画面が表示され、それに関連して、五つの選択肢が表示される。すなわち、「サウンドより選定」、「人物名より選定」、「写真、画像より選定」、「楽曲より選定」、「主題より選定」の文字とアイコンが表示されるので、それらの中のいずれか一つを選択する。そして、例えば「サウンドより選定」を選択すると、ディスプレイ１５には図１７に示す「メイクアドバイス」のタイトルの画面が表示される。この画面には、「サウンドを選定します」及び「他を選定しますか？」の文字とアイコンが表示される。前者のアイコンをクリックすると、携帯電話機１０と管理サーバ３０の間で交信が行われ、管理サーバ３０の第２ジャンルデータベース４２に予め記憶された化粧イメージ誘発用データとしての各種のサウンドデータが管理サーバ３０から携帯電話機１０に送られ、該携帯電話機１０のスピーカー１９から各種のサウンドが依頼者に提供される。
【００３５】
この提供された各種のサウンドを依頼者が聞くことによって、希望する化粧イメージを誘発することができる。
図１５において、依頼者が「手順に従い画像を順次イメージ表示します。」を選択すると、依頼者の選択動作手順に従って携帯電話機１０と管理サーバ３０の間で交信が行われ、管理サーバ３０側の第１〜第５ジャンルデータベース４１〜４５に記憶された各種の化粧イメージ誘発用データを必要に応じて順次入手することができる。同じく図１５において、依頼者が「化粧方法のみ順次表示します。」を選択すると、携帯電話機１０と管理サーバ３０の間で交信が行われ、管理サーバ３０側のデータベース４０に記憶された化粧方法データが携帯電話機１０に送信され、携帯電話機１０のディスプレイ１５に各種の化粧方法が順次表示される。さらに、依頼者が「化粧品を順次表示します。」を選択すると、携帯電話機１０と管理サーバ３０の間で交信が行われ、管理サーバ３０側のデータベース４０に記憶された化粧品に関するデータが携帯電話機１０に送信され、携帯電話機１０のディスプレイ１５に化粧品の種類に関するデータが順次表示される。
【００３６】
ディスプレイ１５に表示された図１７の画面において、「他を選定しますか？」のアイコンをクリックし、かつその下に表示された「画像」、「人物名」及び「映画」のアイコン（□参照）のうちのいずれか一つをクリックして選定する。例えば、図１７の画面において、前記「画像」のアイコンがクリックされて選択されると、図１１（ｃ）に示す画面と同様の検索画面が切り換え表示されるので、これに基づいて前述した動作と同様に各種の化粧顔画像データを順次検索する。又、図１７の画面において、前記「人物名」が選択されると、図１１（ｄ）に示す画面と同様の検索画面が表れるので、これに基づいて前述した動作と同様に各種の人物名のデータを順次検索する。さらに、図１７の画面において、前記「主題」が選択されると、図１１（ｅ）に示す画面と同様の検索画面が表れるので、これに基づいて前述した動作と同様に各種の主題のデータを順次検索する。それらの画像に基づいて、依頼者が適正な化粧イメージを誘発することができる。
【００３７】
図１８は上述した依頼者による一連の化粧イメージ誘発動作によって、依頼者の脳裏にイメージされ、それに基づいて実際に顔の化粧作業を行い、これをＣＣＤカメラ１７によって撮像し、この最終的に決定された化粧顔画像データを、依頼者が誘発した化粧イメージ画像としてディスプレイ１５に表示したものである。なお、この画面には、「貴女が誘発した化粧イメージの結果は！」の文字を表示したり、「化粧方法は＊＊＊系」を表示したり、その下に顔画像を表示したりすることもできる。さらに、「化粧効果を演出するため、」の文字を表示したり、「ヘアスタイルは、＊＊系」を表示したり、その下に、ヘアスタイルを変更した顔画像を表示したりすることもできる。
【００３８】
さらに、「レストランではリップ色はｘｘでの貴女は．．．？」「これで、彼に好印象間違いなし！！！」を表示したり、その下に、「貴女の化粧方法ひらめきましたか？」の文字を表示することもできる。
【００３９】
ところで、前述した依頼者による携帯電話機１０を用いた管理サーバ３０からの各ジャンルの化粧イメージ誘発用データの入手動作は、繰り返し行われる。これらの多数回の入手動作に基づいて、管理サーバ３０は次のような各種の統計の処理を行う。
【００４０】
図７のステップＳ２１において、各ジャンル内でのアクセスされた各種の化粧イメージ誘発用データの優先順位を演算するための処理が行われる。この処理は、図４に示すアクセス回数カウント部５１の各データ毎のアクセス回数データに基づいて、利用回数頻度演算部５３によって、各データ毎の利用回数頻度が演算される。この利用回数頻度に基づいて、第１優先順位演算部５４によって各データ毎の優先順位が演算され、この演算結果がジャンル内優先順位データベース５５に記憶される。（ステップＳ２２）この優先順位は、アクセス回数が多い順番に決定される。
【００４１】
又、図７のステップＳ２３において、各ジャンル毎の総アクセス時間に基づく優先順位を演算するための処理が行われる。この処理は、図４に示すアクセス回数カウント部５１の各データ毎のアクセス回数データ及びアクセス時間演算部５２からの各データ毎のアクセス時間データに基づいて、総アクセス時間演算部５６によってジャンル毎の総アクセス時間が演算される。この総アクセス時間に基づいて、利用時間差演算部５７によって、ジャンル毎の利用頻度が演算され、この利用頻度に基づいて、第２優先順位演算部５８によって、各ジャンル毎の優先順位が演算され、この演算結果がジャンル毎優先順位データベース５９に記憶される。（ステップＳ２４）このジャンル毎優先順位は、総アクセス時間の長い順番に決定される。
【００４２】
さらに、ジャンル内における各種の化粧イメージ誘発用データへのアクセス履歴の傾向を演算するための処理が行われる。図４に示すアクセス回数カウント部５１の各データ毎のアクセス回数データに基づいて、アクセス履歴傾向演算部６０によって、ジャンル内の各データへのアクセス履歴傾向が演算される。（ステップＳ２５）この演算結果に基づいて、アクセス履歴傾向頻度演算部６１によって、アクセス履歴傾向の頻度が演算される。この演算結果に基づいて、アクセス履歴傾向優先順位演算部６２によって、アクセス履歴傾向の優先順位が統計的に演算（ステップＳ２６）され、ジャンル内アクセス履歴傾向優先順位データベース６３に記憶される。（ステップＳ２７）
前記アクセス履歴傾向演算部６０、アクセス履歴傾向頻度演算部６１及びアクセス履歴傾向優先順位演算部６２は、１回の化粧イメージ誘発動作において行われる同一ジャンル内でのアクセス履歴のうち、同じアクセス履歴の回数を演算し、その回数の多いものから順に優先順位を付与し、アクセス履歴傾向優先順位データとするものである。
【００４３】
その後、図７のステップＳ２８において、演算処理された各データを更新するための処理が行われる。
前述したようにこの実施形態においては、図７のステップＳ２１, Ｓ２３，Ｓ２６に示すように、３種類の統計的な演算処理が行われるが、それらによって、得られたデータは、依頼者が次の化粧イメージを誘発させるために用いることができるようになっている。これについて図８を中心に説明すると、ステップＳ３１において携帯電話機１０のディスプレイ１５に図９に示す「初期メニュー」の画面を表示する。この画面の「第１優先順位参照」、「第２優先順位参照」及び「アクセス履歴傾向優先順位参照」のいずれか一つのアイコンをクリックして選択する。そして、例えばステップＳ３２において「第１優先順位参照」が選択されると、携帯電話機１０と管理サーバ３０との間で交信が行われ、ステップＳ３３において管理サーバ３０のジャンル内優先順位データベース５５に記憶された優先順位データがそれらの優先順位に基づいて携帯電話機１０に伝送され、ステップＳ３４において依頼者が前記データを優先順位に従って順次入手する。ステップＳ３５において、前記優先順位データを依頼者が化粧イメージの誘発に用いる。又、ステップＳ３６で「第２優先順位参照」が選択されると、携帯電話機１０と管理サーバ３０との間で交信が行われ、ステップＳ３７で管理サーバ３０のジャンル毎優先順位データベース５９に記憶された各種のデータがそれらの優先順位に基づいて携帯電話機１０に順次伝送され、ステップＳ３８で依頼者が前記データを入手する。ステップＳ３９で前記データを依頼者が化粧イメージの誘発に用いる。さらに、ステップＳ４０で「アクセス履歴傾向優先順位参照」が選択されると、携帯電話機１０と管理サーバ３０との間で交信が行われ、ステップＳ４１で管理サーバ３０のジャンル内アクセス履歴傾向優先順位データベース６３に記憶された各種のデータがそれらの優先順位に基づいて、携帯電話機１０に伝送され、ステップＳ４２で依頼者が前記データを入手し、ステップＳ４３で前記データを依頼者が化粧イメージ誘発に用いる。
【００４４】
以上のようにして、依頼者の化粧イメージ画像が誘発されるが、この化粧イメージ画像は、過去に一度誘発された古い化粧イメージ画像の場合もあり、新しい化粧イメージ画像が誘発される場合もある。又、化粧イメージ画像が第３ジャンルデータベース４３の中にある場合と、無い場合があるので、無い場合には依頼者の脳裏に誘発された化粧イメージ画像を参考にして実際に依頼者が顔の化粧を行う。なお、この化粧イメージ画像はカメラによって撮像され、前記第３ジャンルデータベース４３に記憶される。
【００４５】
次に、依頼者が実際に施した顔の化粧についての化粧アドバイスの提供方法について説明する。
本システム１では、管理サーバ３０から提供された化粧イメージ誘発用データによって依頼者がイメージした化粧イメージ画像に基づいて、実際に化粧を施し、この化粧された顔をＣＣＤカメラ１７によって撮影し、この化粧顔画像データをサーバ３０に送信する。そして、この化粧顔画像データと予めデータベース４０に記憶されている手本化粧顔画像データとに基づいて、サーバ３０により依頼者が施した化粧状態の評価が行われ、その評価結果が化粧アドバイスとして管理サーバ３０から携帯電話機１０に送信されるものである。
【００４６】
依頼者は上記評価結果を見ることで、提供された化粧方法に従って自分が施した化粧に対して、イメージ画像の通りに化粧を行ったか否かの適正な判断を受けることが可能になる。
【００４７】
従って、前記実施形態によれば以下の効果が得られる。
（１）上記実施形態では、サーバ３０側に第１〜第５ジャンルデータベース４１〜４５を設け、各データベース４１〜４５にそれぞれ楽曲、サウンド、画像等の各種の化粧イメージ誘発用データを予め登録する。又、携帯電話機１０と管理サーバ３０との間で交信を行い、前記管理サーバ３０側に登録された各種の化粧イメージ誘発用データを携帯電話機１０に取り込み、ディスプレイ１５に画面表示し、あるいはそれらに関連する音声等をスピーカー１９から出力するようにした。このため、依頼者が適当と思われる化粧イメージを迅速に誘発（想起）することができ、化粧作業の能率を向上することができる。
【００４８】
（２）上記実施形態では、依頼者の化粧時において、化粧のお手本となる例えば女優の化粧イメージ画像を誘発（想起）したが、具体的に必要としている特定の場面の女優の化粧イメージ画像が思い出せない場合、人物名は思い出せるが、どの映画の場面であったか思い出せない場合、映画の主題（タイトル）やバックミュージックを思い出せるが、その特定の場面にあった化粧品や服装、装飾等を思い出せない場合等に依頼者に化粧イメージを誘発させる効果がある。すなわち、管理サーバ３０に予め登録しておいた第１〜第５ジャンルの楽曲、サウンド、映像、人物名及び主題等のデータを携帯電話機１０側に順次取り込むことにより、依頼者が化粧イメージを鮮明に誘発することが可能となる。
【００４９】
なお、実施形態は前記に限定されず、例えば次の態様に変更してもよい。
・アクセス時間演算部５２からの信号に基づいて、利用回数頻度演算部５３により各ジャンル内における複数のデータのそれぞれのアクセス時間が長い順番に利用頻度を決定するようにしてもよい。又、利用回数頻度演算部５３により各データ毎のそれぞれの総アクセス時間の長い順番に利用頻度を決定するようにしてもよい。
【００５０】
・  携帯電話機１０のハードウェアを変更することにより、携帯電話機１０にサーバ３０の機能を付与してもよい。又、携帯電話機１０に代えて、コンピュータを備えた端末装置を用いてもよい。これらの場合には、インターネットを通して化粧イメージ誘発用データを取り込む場合に比べ、わざわざサーバ３０に問い合わせる必要が無くなるので、化粧イメージの誘発に要する時間を短縮することができるとともに、通信費を不要にすることができる。
【００５１】
・  化粧イメージは顔化粧イメージだけに限らず、トータルファッションに関するイメージを提供するように構成することもできる。例えば、服装、ヘアースタイル、ストッキング、靴、マフラー等のイメージを誘発するデータをサーバ３０により提供するように構成することもできる。
【００５２】
・  携帯電話機１０から管理サーバ３０へ送信される各種データを無線通信で送信することに限定されず、例えばケーブルを介して通信する有線通信を採用してもよい。
・  化粧イメージをサーバから入手したデータによって依頼者に誘発させる化粧イメージ誘発用プログラムであって、
依頼者により入力された化粧イメージ誘発用の複数のジャンルのいずれか一つのジャンルを選定する信号を受信する手順と、
前記記憶手段に予め登録された化粧イメージ誘発用データのなかから選定された前記ジャンルに対応する化粧イメージ誘発用データを選択する手順と、
上記の選択された化粧イメージ誘発用データを依頼者に提供する手順とを、
前記サーバに実行させる化粧イメージ誘発用プログラムに具体化してもよい。
【００５３】
次に、本発明における定義を説明する。
（１）化粧イメージとは、化粧顔の他、化粧に応じたファッション的なイメージ等も含むとともに、依頼者が美的向上を図るうえで必要となる各種のイメージ全般のことをいう。
【図面の簡単な説明】
【００５４】
【図１】一実施形態における携帯電話機の斜視図。
【図２】携帯電話機の概略構成図。
【図３】化粧に関するアドバイスを提供するためのアドバイスシステムの概略構成図。
【図４】サーバ本体の構成を示すブロック回路図。
【図５】化粧イメージ誘発用データの登録動作を示すフローチャート。
【図６】化粧イメージ誘発用データの入手動作を示すフローチャート。
【図７】化粧イメージ誘発用データの統計処理動作を示すフローチャート。
【図８】化粧イメージ誘発用データの入手動作を示すフローチャート。
【図９】ディスプレイに表示された画面図。
【図１０】ディスプレイに表示された画面図。
【図１１】（ａ）〜（ｅ）は、ディスプレイに表示された画面図。
【図１２】ディスプレイに表示された画面図。
【図１３】ディスプレイに表示された画面図。
【図１４】ディスプレイに表示された画面図。
【図１５】ディスプレイに表示された画面図。
【図１６】ディスプレイに表示された画面図。
【図１７】ディスプレイに表示された画面図。
【図１８】ディスプレイに表示された画面図。
【符号の説明】
【００５５】
３０…サーバ、５１…アクセス回数カウント部、５３…利用回数頻度演算部、５４…第１優先順位演算部、５６…総アクセス時間演算部、５７…利用時間差演算部、５８…第２優先順位演算部、６０…アクセス履歴傾向演算部、６１…アクセス履歴傾向頻度演算部、６２…アクセス履歴傾向優先順位演算部。
【図１】
2006127501.tif 000003
【図２】
2006127501.tif 000004
【図３】
2006127501.tif 000005
【図４】
2006127501.tif 000006
【図５】
2006127501.tif 000007
【図６】
2006127501.tif 000008
【図７】
2006127501.tif 000009
【図８】
2006127501.tif 000010
【図９】
2006127501.tif 000011
【図１０】
2006127501.tif 000012
【図１１】
2006127501.tif 000013
【図１２】
2006127501.tif 000014
【図１３】
2006127501.tif 000015
【図１４】
2006127501.tif 000016
【図１５】
2006127501.tif 000017
【図１６】
2006127501.tif 000018
【図１７】
2006127501.tif 000019
【図１８】
2006127501.tif 000020